(57)【要約】【課題】一部の電極を非アクティブ状態とすることで、すべての電極をアクティブ状態とする場合と比較して消費電力を削減する。【解決手段】電子機器（１０）の制御装置（２）は、複数のピクセル（１２）のそれぞれにおける電荷の検知をアクティブな状態とするか、または非アクティブな状態とするかを、複数のサーミスタ素子（１１）のそれぞれに係る温度検知結果に基づき判断することにより、指紋センサ（１）においてピクセル（１２）をアクティブにすべきエリアを設定するアクティブエリア設定部（２３）を備える。【選択図】図１
2020194304.tif 000002
【特許請求の範囲】
【請求項１】
指紋の凹凸を電荷の変化として検知するための電極を複数有しているとともに、温度センサを複数有している指紋センサと、少なくとも１つの制御装置とを備えた電子機器であって、
複数の前記温度センサのそれぞれは、互いに隣接する電極の間に配置されているとともに、
前記制御装置は、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定処理を実行することを特徴とする電子機器。
【請求項２】
前記指紋センサは、当該指紋センサの表面に配される保護層と、指紋認証回路が搭載された基板とをさらに備え、
複数の前記電極のうち、隣接する２つの電極の間には、前記保護層を前記指紋認証回路に対して支持する隔壁が少なくとも２枚形成されており、
複数の前記温度センサのそれぞれは、前記少なくとも２枚の隔壁の間に配置されていることを特徴とする請求項１に記載の電子機器。
【請求項３】
前記制御装置は、
複数の前記温度センサのそれぞれによって測定される温度の変化が、所定の変化量を超えたか否かを判定する温度変化判定処理を実行するとともに、
前記温度変化判定処理において前記所定の変化量を超えて温度が変化したと判定される前記温度センサの周囲に存在する電極を前記アクティブな状態とし、それ以外の電極を前記非アクティブな状態とすることで、前記アクティブエリア設定処理を実行することを特徴とする請求項１に記載の電子機器。
【請求項４】
前記電子機器は、少なくとも１つの表示装置を備えており、
前記制御装置は、
前記温度センサによって測定される温度が所定の温度を超えた場合に前記指紋センサの温度異常を検知する異常検知処理と、
前記指紋センサの温度異常が検知された場合に、前記温度異常を警告するための警告情報を前記表示装置に表示させる表示処理と、を実行することを特徴とする請求項３に記載の電子機器。
【請求項５】
指紋の凹凸を電荷の変化として検知するための電極を複数有しているとともに、温度センサを複数有している指紋センサを備えた電子機器の制御装置であって、
複数の前記温度センサのそれぞれは、互いに隣接する電極の間に配置されているとともに、
複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定部を備えたことを特徴とする制御装置。
【発明の詳細な説明】
【技術分野】
【０００１】
本発明は、電子機器およびその制御装置に関する。
【背景技術】
【０００２】
携帯電話などの小型の情報装置は、近年の高機能化に伴い、インターネット等に接続して、個人情報を送信したり、装置に個人情報を格納したりすることができるようになったため、これらの情報を保護する仕組みへの要望が強くなってきている。従来は、このような装置のセキュリティを確保するための仕組みとして、パスワードなどによる個人認証が用いられてきた。
【０００３】
しかしながら、パスワードなどは盗用される危険性が高く、より信頼性の高い個人認証の実現が望まれている。そのため、個人認証のための個人生体技術として、指紋による認証技術が開発されてきた。
【０００４】
例えば、静電容量方式の指紋センサによる個人認証技術がある。この方式の指紋センサは、保護膜の下に多数の電極を並べ、指表面と電極の距離に応じた電荷を溜める。すなわち、指をこの指紋センサ面上に置くと、指紋の凹凸に応じて、各電極に電荷が溜まる。この電荷量は、指紋の凹部に対向する電極では少なく、指紋の凸部に対向する電極では多くなる。そして、この電荷量を駆動回路によりセンスし、センスした電圧をアナログディジタル変換して指紋イメージ像として出力している。
【０００５】
特許文献１には、使用者が意識することのない必要最小限の認証作業によって、不正使用の防止を図った携帯電話が開示されている。この携帯電話では、使用者が携帯電話を手に取ると、制御部は温度取得部に対して温度検出を開始する指示を発行する。温度取得部は、一定の時間間隔で温度の計測を行い、取得した温度情報を順次温度比較部へと転送する。温度比較部では、温度取得部が取得する温度情報が所定の条件内であるかを判断し、その判断結果に応じて、生体情報取得部に対して使用者の指紋情報を取得する指示を発行する。生体情報取得部は使用者の指紋情報を取得し、取得した指紋情報を生体情報認証部へ転送する。生体情報認証部では、取得した指紋情報と生体情報格納部に格納した所有者の指紋情報との比較を行い、正当使用者であるか否かを判断する。
【先行技術文献】
【特許文献】
【０００６】
【特許文献１】特開２００３−２０４３８９号公報
【発明の概要】
【発明が解決しようとする課題】
【０００７】
しかしながら、前記特許文献１に開示された技術では、一定時間、温度センサで温度を計測し、計測した温度の値を条件値（閾値温度の範囲を示す上限値または下限値）と比較する必要があるため、本人認証までに時間を要し、認証のための消費電力が大きくなってしまうという問題点がある。
【０００８】
本発明の一態様は、前記の問題点に鑑みて為されたものであり、その目的は、一部の電極を非アクティブ状態とすることで、すべての電極をアクティブ状態とする場合と比較して消費電力を削減することができる電子機器などを提供することにある。
【課題を解決するための手段】
【０００９】
前記の課題を解決するために、本発明の一態様に係る電子機器は、指紋の凹凸を電荷の変化として検知するための電極を複数有しているとともに、温度センサを複数有している指紋センサと、少なくとも１つの制御装置とを備えた電子機器であって、複数の前記温度センサのそれぞれは、互いに隣接する電極の間に配置されているとともに、前記制御装置は、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定処理を実行する構成である。
【００１０】
前記の課題を解決するために、本発明の一態様に係る電子機器の制御装置は、指紋の凹凸を電荷の変化として検知するための電極を複数有しているとともに、温度センサを複数有している指紋センサを備えた電子機器の制御装置であって、複数の前記温度センサのそれぞれは、互いに隣接する電極の間に配置されているとともに、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定部を備えた構成である。
【発明の効果】
【００１１】
本発明の一態様によれば、一部の電極を非アクティブ状態とすることで、すべての電極をアクティブ状態とする場合と比較して消費電力を削減することができるという効果を奏する。
【図面の簡単な説明】
【００１２】
【図１】本発明の実施形態１に係る電子機器の構成を示すブロック図である。
【図２】前記電子機器の外観構成を示す正面図である。
【図３】（ａ）は、前記電子機器が備える指紋センサの外観構成を示す正面図であり、（ｂ）は、前記指紋センサに指がタッチされたときの様子を概念的に示す図であり、（ｃ）は、指紋センサにおいて電極をアクティブにすべきエリアが設定されたときの様子を示す図である。
【図４】前記指紋センサの構造を示す断面図である。
【図５】本発明の実施形態１に係る電子機器の動作の流れを示すフローチャートである。
【図６】従来技術と提案技術（本発明の実施形態）とで、電極がアクティブにされるまでの時間を比較したグラフである。
【図７】本発明の実施形態２に係る電子機器の動作の流れを示すフローチャートである。
【図８】前記電子機器の警告表示の一例を示す図である。
【発明を実施するための形態】
【００１３】
以下、本発明の実施形態について詳細に説明する。なお、説明の便宜上、各実施形態に示した部材と同一の機能を有する部材については、同一の符号を付記し、適宜その説明を省略する。
【００１４】
〔実施形態１〕
まず、図２に基づき、本発明の実施形態１に係る電子機器１０の外観構成について説明する。図２は、電子機器１０の外観構成を示す正面図である。同図に示すように、電子機器１０は、筐体５の中央部にディスプレイ４を備えており、ディスプレイ４の下側に指紋センサ１を備えている。
【００１５】
電子機器１０は、例えばスマートフォンにより実現される。なお、電子機器１０はスマートフォンに限らず、例えば、タブレット端末等、指紋センサ１を有する各種電子機器に適用することができる。
【００１６】
次に、図１は、本発明の実施形態１に係る電子機器１０の構成を示すブロック図である。同図に示すように、電子機器１０は、指紋センサ１、制御装置２、記憶装置３、およびディスプレイ（表示装置）４を含む。
【００１７】
指紋センサ１は、指紋の凹凸を電荷の変化として検知するためのピクセル（電極）１２を複数有しているとともに、サーミスタ素子（温度センサ）１１を複数有している。後述するように複数のサーミスタ素子１１のそれぞれは、互いに隣接するピクセル１２の間に配置されている。
【００１８】
サーミスタ素子１１は、温度変化に対して電気抵抗の変化の大きい抵抗体である。この現象を利用し、温度を測定するセンサとして利用される。センサとしてはふつう−５０℃から１５０℃程度までの測定に用いられる。
【００１９】
ピクセル１２は、指紋の凹凸に応じて電荷を溜めるための電極である。この電荷量は、指紋の凹部に対向するピクセル１２では少なく、指紋の凸部に対向するピクセル１２では多くなる。そして、この電荷量を後述する指紋認証回路１４によりセンスし、センスした電圧をアナログディジタル変換して指紋イメージ像として出力する。制御装置２は、電子機器１０の各部を統括的に制御する。図１に示すように制御装置２は、温度比較部２１、認証管理部２２およびアクティブエリア設定部２３を備える。
【００２０】
温度比較部２１は、サーミスタ素子１１が検出した温度を２回測定し、これらの温度の変化量を特定する。また、記憶装置３の温度閾値格納部３１には、温度の変化量に関する閾値（所定の変化量）が格納されており、特定された温度の変化量が前記閾値を超えたか否かを判定する（温度変化判定処理）。温度比較部２１は、所定の変化量を超えて温度が変化したと判定された場合、そのサーミスタ素子１１の位置をアクティブエリア設定部２３に通知する。
【００２１】
アクティブエリア設定部２３は、複数のピクセル１２のそれぞれにおける電荷の検知をアクティブな状態とするか、または非アクティブな状態とするかを、複数のサーミスタ素子１１のそれぞれに係る温度検知結果に基づき判断することにより、指紋センサ１においてピクセル１２をアクティブにすべきエリアを設定する（アクティブエリア設定処理）。具体的には、アクティブエリア設定部２３は、前記温度変化判定処理において前記所定の変化量を超えて温度が変化したと判定されるサーミスタ素子１１の周囲に存在するピクセル１２を前記アクティブな状態とし、それ以外のピクセル１２を前記非アクティブ状態とすることで、前記アクティブエリア設定処理を実行する。
【００２２】
本実施形態では、現状の温度からの変化量に基づいて電極をアクティブな状態とするため、一定時間、温度を測定し、温度と条件値（閾値温度の範囲を示す上限値または下限値）と比較して認証する場合と比較して、認証までの時間を短縮することができる。
【００２３】
例えば、図６は、従来技術と提案技術（本発明の実施形態）とで、電極がアクティブにされるまでの時間を比較したグラフである。特許文献１に記載の従来技術は、温度取得部の温度が条件値（閾値温度）に到達する必要がある。例え変化量が大きくても、閾値温度に到達しなければ電極がアクティブにされない。対して、本提案技術の「変化量の検出」であれば閾値温度を設定することなく、変化量（グラフの傾き）の検出のみでアクティブ可能になる。
【００２４】
例えば、温度取得部の初期値を仮に１５℃としたとき、温度取得を７回行った場合、上記グラフに示すように、従来技術の場合は、条件値（閾値範囲）に到達し、アクティブになるまで取得回数が７回必要であるが、提案技術の場合は、指紋センサ１に指が触れたと考えられる温度変化が大きい箇所、すなわち温度取得回数が２回目でアクティブになる。
【００２５】
また、本実施形態によれば、認証時に一部の電極を非アクティブ状態とすることで、認証時にすべての電極をアクティブ状態とする場合と比較して消費電力を削減することができる。
【００２６】
認証管理部２２は、前記アクティブエリア設定処理が完了するとそのエリア内に存在する複数のピクセル１２のそれぞれの電荷量を指紋認証回路１４によりセンスし、センスした電圧をアナログディジタル変換して指紋イメージ像として出力する。
【００２７】
また、認証管理部２２は、取得した指紋イメージ像と指紋情報格納部３２に格納した所有者の指紋情報との比較を行い、指紋の特徴が一致した場合、電子機器１０の正当使用者であると判断する。
【００２８】
次に、図３の（ａ）は、電子機器１０が備える指紋センサ１の外観構成を示す正面図である。同図に示すように、指紋センサ１では、複数のピクセル１２がマトリクス状に配置されており、サーミスタ素子１１のそれぞれは、互いに隣接するピクセル１２の間に配置されている。これにより、サーミスタ素子１１の温度検知結果に基づき、指紋センサ１に対する指の大凡の接触範囲を特定することが可能になる。
【００２９】
例えば、図３の（ｂ）は、指紋センサ１の領域Ａに指がタッチされたときの様子を概念的に示す図である。同図に示すように、領域Ａ内に存在するサーミスタ素子１１は、大きな温度の変化量を検出する。同図では、４つのサーミスタ素子１１が大きな温度の変化量を検出した様子が示されている。
【００３０】
次に、図３の（ｃ）は、指紋センサ１においてピクセル１２をアクティブにすべきエリアが設定されたときの様子を示す図である。同図には、４つのサーミスタ素子１１の周囲に存在する１２個のピクセル１２がアクティブ状態となり、これらのピクセル１２を含む領域が、アクティブエリアとして設定されたことが概念的に示されている。
【００３１】
具体的には、制御装置２のアクティブエリア設定部２３は、複数のピクセル１２のそれぞれにおける電荷の検知をアクティブな状態とするか、または非アクティブな状態とするかを、複数のサーミスタ素子１１のそれぞれに係る温度検知結果に基づき判断することにより、指紋センサ１においてピクセル１２をアクティブにすべきエリアを設定する。このため、一部のピクセル１２を非アクティブ状態とすることで、すべてのピクセル１２をアクティブ状態とする場合と比較して消費電力を削減することができる。
【００３２】
次に、図４は、指紋センサ１の構造を示す断面図である。同図に示すように、指紋センサ１は、指紋センサ１の表面に配される保護層１５と、指紋認証回路１４が搭載された基板１３とをさらに備える。また、指紋センサ１は、複数のピクセル１２のうち、隣接する２つのピクセル１２の間には、保護層１５を指紋認証回路１４に対して支持するＧＮＤ壁（隔壁）１６が少なくとも２枚形成されており、複数のサーミスタ素子１１のそれぞれは、前記少なくとも２枚のＧＮＤ壁１６の間に配置されている。これにより、サーミスタ素子１１の温度検知結果に基づき、指紋センサ１に対する指の大凡の接触範囲を特定することが可能になる。
【００３３】
次に、図５は、本発明の実施形態１に係る電子機器１０の動作の流れを示すフローチャートである。同図に示すように、ステップＳ（以下、「ステップ」は省略する）１０１では、サーミスタ素子１１が温度を検出（２回）して、Ｓ１０２に進む。
【００３４】
Ｓ１０２では、温度比較部２１は、サーミスタ素子１１で検出された温度の変化量を計算（特定）して、Ｓ１０３に進む。Ｓ１０３では、アクティブエリア設定部２３が、温度の変化量が所定の閾値を超えたサーミスタ素子１１があるかどうかを判定する。その結果、温度の変化量が所定の閾値を超えたサーミスタ素子１１があった場合（ＹＥＳ）、Ｓ１０４に進む。一方、温度の変化量が所定の閾値を超えたサーミスタ素子１１がなかった場合、Ｓ１０２に戻る。
【００３５】
Ｓ１０４では、アクティブエリア設定部２３が、温度の変化量が所定の閾値を超えたサーミスタ素子１１周辺のピクセル１２をアクティブ状態として、Ｓ１０５に進む。Ｓ１０５では、認証管理部２２が指紋取得を開始してＳ１０６に進む。
【００３６】
Ｓ１０６では、認証管理部２２が、取得した指紋イメージ像と指紋情報格納部３２に格納した所有者の指紋情報との比較を行い、指紋の特徴が一致するか否かを判定する。その結果、指紋の特徴が一致した場合（ＹＥＳ）、Ｓ１０７に進み、認証管理部２２は、電子機器１０の正当使用者であると判断し、認証を完了する。
【００３７】
〔実施形態２〕
本発明の他の実施形態について、以下に説明する。なお、説明の便宜上、前記実施形態にて説明した部材と同じ機能を有する部材については、同じ符号を付記し、その説明を繰り返さない。
【００３８】
図７は、本発明の実施形態２に係る電子機器１０の動作の流れを示すフローチャートである。電子機器１０の制御装置２は、サーミスタ素子１１によって測定される温度が所定の温度を超えた場合に指紋センサ１の温度異常を検知する異常検知処理と、指紋センサ１の温度異常が検知された場合に、前記温度異常を警告するための警告情報８をディスプレイ４に表示させる表示処理と、を実行しても良い。これにより、指紋センサ１に温度異常が生じた場合に、使用者に指紋センサ１（または電子機器１０）の温度異常を認識させることができる。
【００３９】
図７に示すように、Ｓ２０１では、サーミスタ素子１１が温度を検出し、Ｓ２０２に進む。Ｓ２０２では、温度比較部２１が、サーミスタ素子１１が一定の温度以上の温度を検出したかどうかを判断する。その結果、サーミスタ素子１１が一定の温度以上の温度を検出した場合（ＹＥＳ）、Ｓ２０３に進む。一方、サーミスタ素子１１が一定の温度以上の温度を検出しなかった場合（ＮＯ）、Ｓ２０２に戻る。
【００４０】
Ｓ２０３では、制御装置２が、温度比較部２１の判断結果に基づき、指紋センサ１の内部の温度異常を検知し、Ｓ２０４に進む。Ｓ２０４では、制御装置２が、ディスプレイ４に警告情報を表示させ、処理終了となる。
【００４１】
図８は、電子機器１０のディスプレイ４に警告情報８を表示した例を示している。この例では、警告情報８として、「※注意※端末温度が異常上昇、端末に触れないでください」との文字列がディスプレイ４に表示されている。なお、本実施形態では、ディスプレイ４に警告情報８を表示して、ユーザに警告する例を示したが、ユーザに対する警告方法は、これに限定されない。例えば、電子機器１０が、音声出力装置を備え、音声出力装置から警告音を発生させても良い。
【００４２】
〔まとめ〕
本発明の態様１に係る電子機器（１０）は、指紋の凹凸を電荷の変化として検知するための電極（ピクセル１２）を複数有しているとともに、温度センサ（サーミスタ素子１１）を複数有している指紋センサ（１）と、少なくとも１つの制御装置（２）とを備えた電子機器であって、複数の前記温度センサのそれぞれは、互いに隣接する電極の間に配置されているとともに、前記制御装置は、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定処理を実行する構成である。
【００４３】
前記構成によれば、複数の温度センサのそれぞれは、互いに隣接する電極の間に配置されている。これにより、温度センサの温度検知結果に基づき、指紋センサに対する指の大凡の接触範囲を特定することが可能になる。
【００４４】
前記構成によれば、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定する。このため、一部の電極を非アクティブ状態とすることで、すべての電極をアクティブ状態とする場合と比較して消費電力を削減することができる。
【００４５】
本発明の態様２に係る電子機器は、前記態様１において、前記指紋センサ（１）は、当該指紋センサの表面に配される保護層（１５）と、指紋認証回路（１４）が搭載された基板（１３）とをさらに備え、複数の前記電極（ピクセル１２）のうち、隣接する２つの電極の間には、前記保護層を前記指紋認証回路に対して支持する隔壁（ＧＮＤ壁１６）が少なくとも２枚形成されており、複数の前記温度センサのそれぞれは、前記少なくとも２枚の隔壁の間に配置されていても良い。前記構成によれば、温度センサの温度検知結果に基づき、指紋センサに対する指の大凡の接触範囲を特定することが可能になる。
【００４６】
本発明の態様３に係る電子機器は、前記態様１において、前記制御装置（２）は、複数の前記温度センサ（サーミスタ素子１１）のそれぞれによって測定される温度の変化が、所定の変化量を超えたか否かを判定する温度変化判定処理を実行するとともに、前記温度変化判定処理において前記所定の変化量を超えて温度が変化したと判定される前記温度センサの周囲に存在する電極を前記アクティブな状態とし、それ以外の電極を前記非アクティブな状態とすることで、前記アクティブエリア設定処理を実行しても良い。
【００４７】
前記構成によれば、現状の温度からの変化量に基づいて電極をアクティブな状態とするため、一定時間、温度を測定し、温度と条件値（閾値温度の範囲を示す上限値または下限値）と比較して認証する場合と比較して、認証までの時間を短縮することができる。
【００４８】
また、前記構成によれば、認証時に一部の電極を非アクティブ状態とすることで、認証時にすべての電極をアクティブ状態とする場合と比較して消費電力を削減することができる。
【００４９】
本発明の態様４に係る電子機器は、前記態様３において、前記電子機器（１０）は、少なくとも１つの表示装置（ディスプレイ４）を備えており、前記制御装置（２）は、前記温度センサ（サーミスタ素子１１）によって測定される温度が所定の温度を超えた場合に前記指紋センサ（１）の温度異常を検知する異常検知処理と、前記指紋センサの温度異常が検知された場合に、前記温度異常を警告するための警告情報（８）を前記表示装置（ディスプレイ４）に表示させる表示処理と、を実行しても良い。前記構成によれば、指紋センサに温度異常が生じた場合に、使用者に指紋センサの温度異常を認識させることができる。
【００５０】
本発明の態様５に係る電子機器の制御装置（２）は、指紋の凹凸を電荷の変化として検知するための電極（ピクセル１２）を複数有しているとともに、温度センサ（サーミスタ素子１１）を複数有している指紋センサ（１）を備えた電子機器（１０）の制御装置（２）であって、複数の前記温度センサのそれぞれは、互いに隣接する電極の間に配置されているとともに、複数の前記電極のそれぞれにおける電荷の検知をアクティブな状態とするか、または非アクティブな状態とするかを、複数の前記温度センサのそれぞれに係る温度検知結果に基づき判断することにより、前記指紋センサにおいて前記電極をアクティブにすべきエリアを設定するアクティブエリア設定部（２３）を備えた構成である。前記構成によれば、請求項１と同様の効果が得られる。
【００５１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５２】
１    指紋センサ
２    制御装置
３    記憶装置
４    ディスプレイ（表示装置）
５    筐体
８    警告情報
１０    電子機器
１１    サーミスタ素子（温度センサ）
１２    ピクセル（電極）
１３    基板
１４    指紋認証回路
１５    保護層
１６    ＧＮＤ壁（隔壁）
２１    温度比較部
２２    認証管理部
２３    アクティブエリア設定部
３１    温度閾値格納部
３２    指紋情報格納部
【図１】
2020194304.tif 000003
【図２】
2020194304.tif 000004
【図３】
2020194304.tif 000005
【図４】
2020194304.tif 000006
【図５】
2020194304.tif 000007
【図６】
2020194304.tif 000008
【図７】
2020194304.tif 000009
【図８】
2020194304.tif 000010